(57)【要約】【課題】  ダンボール箱の搬送方向後面に貼り付けられる粘着テープの長さを適宜調節できる。【解決手段】  ダンボールテープ貼付機１は、ダンボール箱Ｂを搬送可能な搬送路２と、該搬送路２の上方に配設され、粘着テープＴを貼り付けるとともに、該粘着テープＴをカッタ３４により切断するように構成された封緘部３とが上下方向への相対位置を調節可能に機体４に装備されている。カッタ３４は、搬送方向後側が支軸５４で軸支されることにより搬送方向前側に延びる遊端部が上下に揺動自在に設けられたカッタアーム５５と、該カッタアーム５５の遊端部から前記支軸側へ間隔をおいて設けられたカッタ刃５６と、該カッタアーム５５が下方に揺動するように付勢するカッタ付勢手段５７とを備え、前記カッタアーム５５は、カッタ刃５６よりも前記遊端部側におけるアーム長方向への突出量を調節可能に構成されている。【選択図】      図４
2010163174.tif 000002
【特許請求の範囲】
【請求項１】
左右一対の外フラップを内側に折り込んだ状態のダンボール箱を左右外フラップの接合線と平行に一定方向へ搬送可能な搬送路と、該搬送路の上方に配設され、前記接合線に沿って貼付手段により粘着テープを貼り付けるとともに、該粘着テープをカッタにより切断するように構成された封緘部とが上下方向への相対位置を調節可能に機体に装備されたダンボールテープ貼付機であって、
前記カッタは、搬送方向後側が支軸で軸支されることにより搬送方向前側に延びる遊端部が上下に揺動自在に設けられたカッタアームと、該カッタアームの遊端部から前記支軸側へ間隔をおいて設けられたカッタ刃と、該カッタアームが下方に揺動するように付勢するカッタ付勢手段とを備え、
前記カッタアームは、前記カッタ刃よりも前記遊端部側におけるアーム長方向への突出量を調節可能に構成されており、
前記搬送路上を移動する前記ダンボール箱の天面に前記遊端部が乗り上がることにより、該天面に貼り付けられた粘着テープの上方で前記カッタ刃が退避し、該天面の搬送方向後端部から前記遊端部が外れて下降することにより、前記カッタ刃が粘着テープを切断するように構成されたダンボールテープ貼付機。
【請求項２】
前記カッタは、前記貼付手段に対する前記支軸の上下位置が調節可能に構成された請求項１記載のダンボールテープ貼付機。
【請求項３】
前記封緘部における前記搬送方向後側には、該封緘部の底部とダンボール箱の天面との隙間を狭めるために、該封緘部の下側へ張り出すように形成されたカバーが設けられており、
該カバーは、前記貼付手段に対する上下位置が調節可能に構成された請求項１又は２記載のダンボールテープ貼付機。
【請求項４】
前記カッタの支軸と前記カバーとは、互いに連動して、前記貼付手段に対する上下位置が調節可能に構成された請求項３記載のダンボールテープ貼付機。
【請求項５】
左右上蓋フラップが浮き上がらないように上から押さえる押止具を備え、
該押止具は、前記貼付手段に対する上下位置が調節可能に構成された請求項１〜４のいずれか一項に記載のダンボールテープ貼付機。
【請求項６】
前記押止具と前記支軸又は／及び前記カバーとは、互いに連動して、前記貼付手段に対する上下位置が調節可能に構成された請求項５記載のダンボールテープ貼付機。
【請求項７】
前記粘着テープは、それが巻き付けられてなるとともに中心が回転自在に軸支されたテープロールから引き出され、前記封緘部に供給されるように構成されており、
該テープロールの回転に抵抗を付与するように構成されたテープ抵抗部を備えており、
該テープ抵抗部は、テープロールの略径方向に移動可能に、且つ、テープロールの周面に対して表面が接触可能に支持された抵抗体と、該抵抗体の表面がテープロールの周面に接触するように該抵抗体を付勢する付勢手段とを備え、
前記付勢手段は、テープロールが大径のときに該テープロールの周面に対する前記抵抗体の押し当て力が強く、テープロールの径が小さくなるにつれて該押し当て力が弱くなるように構成された請求項１〜６のいずれか一項に記載のダンボールテープ貼付機。
【発明の詳細な説明】
【技術分野】
【０００１】
本発明は、ダンボール箱を粘着テープで封緘するダンボールテープ貼付機に関するものである。
【背景技術】
【０００２】
ダンボール箱Ｂの封緘は、図１２に示すように、内フラップＦｉ，Ｆｉを内側に折り込まれるとともに、その上から外フラップＦｏ，Ｆｏが内側に折り込こまれた状態で、左右外フラップＦｏの接合線Ｌの上から粘着テープＴが貼り付けられることによりなされる。
【０００３】
従来のダンボールテープ貼付機として、特許文献１記載のダンボール箱の封緘装置を例示する。この装置は、図１３に示すように、左右一対の上蓋フラップを内側に折り込んだ状態のダンボール箱Ｂを左右上蓋フラップの接合線と平行に一定方向に搬送する搬送装置と、粘着テープＴを繰り出すテープ繰出部と、ダンボール箱Ｂの天面Ｂｔを前記接合線に沿って転動しつつ、その外周面で前記テープ繰出部から繰り出される粘着テープＴを粘着面側が左右上蓋フラップの両方にまたがって密着するように押し付ける押圧ローラ１１３，１１４と、前記テープ繰出部から繰り出される粘着テープＴを所定長さに切断するカッタ１１５と、押圧ローラ１１３，１１４をダンボール箱Ｂの進行方向後面に沿って転動させる駆動手段と、押圧ローラ１１４がダンボール箱Ｂの進行方向後面を転動する時に左右上蓋フラップが浮き上がらないように上から押える押え具１１６とを備えている。
【０００４】
この封緘装置は、天面封緘時、カッタ支持体１２９の下面が天面Ｂｔを摺動する状態となり、カッタ１１５が天面Ｂｔから浮上しており、カッタ支持体１２９の下面が天面Ｂｔから外れると、テンションスプリング１２５の張力によってカッタ支持体１２９が前方に回動し、カッタ１１５が天面Ｂｔの後端部から後方に所定距離の位置で粘着テープＴを切断する。そして、粘着テープＴの切断端部は、ダンボール箱Ｂの後面に圧着される。
【先行技術文献】
【特許文献】
【０００５】
【特許文献１】特開平７−２１５３１６号公報
【発明の概要】
【発明が解決しようとする課題】
【０００６】
ところが、従来の封緘装置は、カッタ１１５が天面Ｂｔの後端部から後方に所定距離の位置で粘着テープＴを切断するので、ダンボール箱Ｂの後面に貼り付けられる粘着テープＴの長さが所定長となってしまう。このため、ダンボール箱Ｂの後面の上部に文字、図形、模様等の表示がある場合に、これらが粘着テープＴにより見えなくなってしまうことがあるという課題がある。
【課題を解決するための手段】
【０００７】
上記課題を解決するために、第１の発明のダンボールテープ貼付機は、
左右一対の外フラップを内側に折り込んだ状態のダンボール箱を左右外フラップの接合線と平行に一定方向へ搬送可能な搬送路と、該搬送路の上方に配設され、前記接合線に沿って貼付手段により粘着テープを貼り付けるとともに、該粘着テープをカッタにより切断するように構成された封緘部とが上下方向への相対位置を調節可能に機体に装備されたダンボールテープ貼付機であって、
前記カッタは、搬送方向後側が支軸で軸支されることにより搬送方向前側に延びる遊端部が上下に揺動自在に設けられたカッタアームと、該カッタアームの遊端部から前記支軸側へ間隔をおいて設けられたカッタ刃と、該カッタアームが下方に揺動するように付勢するカッタ付勢手段とを備え、
前記カッタアームは、前記カッタ刃よりも前記遊端部側におけるアーム長方向への突出量を調節可能に構成されており、
前記搬送路上を移動する前記ダンボール箱の天面に前記遊端部が乗り上がることにより、該天面に貼り付けられた粘着テープの上方で前記カッタ刃が退避し、該天面の搬送方向後端部から前記遊端部が外れて下降することにより、前記カッタ刃が粘着テープを切断するように構成されている。
【０００８】
この構成によれば、前記カッタアームは、前記カッタ刃よりも前記遊端部側におけるアーム長方向への突出量を調節可能に構成されているので、該突出量を調節することにより、前記天面の後端部から後方における粘着テープの切断位置を調節することができる。このため、ダンボール箱の後面に貼り付けられる粘着テープの長さを適宜調節することができる。さらに、前記搬送路及び前記封緘部の上下方向への相対位置を調節することにより、該搬送路上を搬送されるダンボール箱の天面と前記封緘部との相対位置を調節すれば、ダンボール箱の前面に貼り付けられる粘着テープの長さを適宜調節することができる。
【０００９】
第２の発明のダンボールテープ貼付機としては、第１の発明において、
前記カッタは、前記貼付手段に対する前記支軸の上下位置が調節可能に構成された態様を例示する。
【００１０】
粘着テープを切断するときの該粘着テープ表面に対する前記カッタ刃の角度は９０°であることが好ましいが、この構成によれば、前記搬送路及び前記封緘部の上下方向への相対位置を調節することにより、該搬送路上を搬送されるダンボール箱の天面と前記封緘部との相対位置を調節した際に、該天面に対する前記支軸の高さ位置を調節することにより、粘着テープを切断するときに該粘着テープの表面に対する前記カッタ刃の角度が９０°に近づくように適宜調節することができる。
【００１１】
第３の発明のダンボールテープ貼付機としては、第１又は２の発明において、
前記封緘部における前記搬送方向後側には、該封緘部の底部とダンボール箱の天面との隙間を狭めるために、該封緘部の下側へ張り出すように形成されたカバーが設けられており、
該カバーは、前記貼付手段に対する上下位置が調節可能に構成された態様を例示する。
【００１２】
この構成によれば、前記搬送路及び前記封緘部の上下方向への相対位置を調節することにより、該搬送路上を搬送されるダンボール箱の天面と前記封緘部との相対位置を調節した際に、それに合わせて該天面に対する前記カバーの高さを調節できる。
【００１３】
第４の発明のダンボールテープ貼付機としては、第３の発明において、
前記カッタの支軸と前記カバーとは、互いに連動して、前記貼付手段に対する上下位置が調節可能に構成された態様を例示する。
【００１４】
この構成によれば、前記カッタの支軸及び前記カバーが互いに連動して上下するので、これらを個別に調節する手間を省くことができる。
【００１５】
第５の発明のダンボールテープ貼付機としては、第１〜４のいずれかの発明において、
左右上蓋フラップが浮き上がらないように上から押さえる押止具を備え、
該押止具は、前記貼付手段に対する上下位置が調節可能に構成された態様を例示する。
【００１６】
この構成によれば、前記搬送路及び前記封緘部の上下方向への相対位置を調節することにより、該搬送路上を搬送されるダンボール箱の天面と前記封緘部との相対位置を調節した際に、それに合わせて該天面に対する前記押止具の高さ位置を調節することができる。
【００１７】
第６の発明のダンボールテープ貼付機としては、第５の発明において、
前記押止具と前記支軸又は／及び前記カバーとは、互いに連動して、前記貼付手段に対する上下位置が調節可能に構成された態様を例示する。
【００１８】
この構成によれば、前記押止具と前記支軸又は／及び前記カバーとが互いに連動して上下するので、これらを個別に調節する手間を省くことができる。
【００１９】
第７の発明のダンボールテープ貼付機としては、第１〜６のいずれかの発明において、
前記粘着テープは、それが巻き付けられてなるとともに中心が回転自在に軸支されたテープロールから引き出され、前記封緘部に供給されるように構成されており、
該テープロールの回転に抵抗を付与するように構成されたテープ抵抗部を備えており、
該テープ抵抗部は、テープロールの略径方向に移動可能に、且つ、テープロールの周面に対して表面が接触可能に支持された抵抗体と、該抵抗体の表面がテープロールの周面に接触するように該抵抗体を付勢する付勢手段とを備え、
前記付勢手段は、テープロールが大径のときに該テープロールの周面に対する前記抵抗体の押し当て力が強く、テープロールの径が小さくなるにつれて該押し当て力が弱くなるように構成された請求項１〜６のいずれか一項に記載のダンボールテープ貼付機。
【００２０】
この構成によれば、封緘作業に応じて断続的に粘着テープが引き出されたときに、テープロールの径が大きいほどテープロールが必要以上に回転してしまうということがあるという問題の発生を防止することができる。
【発明の効果】
【００２１】
本発明に係る手動式ダンボールテープ貼付機によれば、ダンボール箱の搬送方向後面に貼り付けられる粘着テープの長さを適宜調節することができるという優れた効果を奏する。
【図面の簡単な説明】
【００２２】
【図１】本発明を具体化した第一実施形態に係るダンボールテープ貼付機の側面図である。
【図２】図１のＩＩ−ＩＩ線断面図である。
【図３】図１のＩＩＩ矢視図である。
【図４】同テープ貼付機の封緘部の側断面図であって、ダンボール箱の前後面における粘着テープの貼付長さを５０ｍｍに調節した状態を示す図である。
【図５】図４のＶ−Ｖ線断面図である。
【図６】図４のＶＩ矢視図である。
【図７】同封緘部の側面図であって、ダンボール箱の前後面における粘着テープの貼付長さ２０ｍｍに調節した状態を示す図である。
【図８】同封緘部の動作を段階ごとに示す図である。
【図９】本発明を具体化した第二実施形態に係るダンボールテープ貼付機の要部の側面図である。
【図１０】図９のＸ−Ｘ線断面図である。
【図１１】図９のＸＩ−ＸＩ線断面図である。
【図１２】ダンボール箱の構成を示す斜視図である。
【図１３】従来のダンボール箱の封緘装置を搬送路の入口側から見た図である。
【発明を実施するための形態】
【００２３】
図１〜図８は本発明を具体化した第一実施形態のダンボールテープ貼付機１を示しており、各図において、矢印Ｃは搬送路の搬送方向前側であって、機体前側を指し示している。本例の封緘対象のダンボール箱Ｂは、背景技術において説明したもの（図１２参照）と同じものとする。図１〜図３に示すように、このテープ貼付機１は、左右一対の外フラップＦｏ，Ｆｏを内側に折り込んだ状態のダンボール箱Ｂを左右外フラップＦｏ，Ｆｏの接合線Ｌと平行に一定方向へ搬送可能な搬送路２と、該搬送路２の上方に配設され、接合線Ｌに沿って貼付手段３ａにより粘着テープＴを貼り付けるとともに、該粘着テープＴをカッタ３４により切断するように構成された封緘部３とが機体４に装備されており、ダンボール箱Ｂが封緘部３に対して相対移動する力を利用して、該封緘部３が接合線Ｌに沿って粘着テープＴを貼り付けるように構成されている。
【００２４】
機体４は、４本の支柱１０，１０，１２，１２により四隅が支持された基台１３を備えている。基台１３における後側の両支柱１０，１０の下端には、高さ調節可能に構成された支持脚１４が設けられ、同前側の両支柱１２，１２の下端には、車輪１５が設けられている。基台１３には、その上側に、平行運動機構１６を介して搬送路２が上下高さ調節可能に支持されている。この高さ調節は、基台後側に設けられた上下ハンドル１７により行うようになっている。基台１３における後側の支柱１０，１０は、平行運動機構１６により最高位置に調節された搬送路２の上面よりも高い位置まで延設されており、上端には前後方向に延びる下側フレーム２６ｂ及び上側フレーム２６ａが取り付けられている。下側フレーム２６ｂ及び上側フレーム２６ａは互いに着脱可能、かつ、水平方向における相対位置調節可能に取り付けられている。両上側フレーム２６ａには、それぞれ上フレーム１８が立設されており、該両上フレーム１８には、左右方向に延びる横フレームの両端部がそれぞれ支持されている。封緘部３の前半部かつ上半部が、該横フレーム１９に設けられたフランジ部１９ａを介して支持されている。このように搬送路２及び封緘部３は、上下方向への相対位置を調節可能に機体４に装備されている。
【００２５】
搬送路２は、機体４の後側から前側に向けてダンボール箱Ｂを搬送するためのローラコンベア２４と、該ローラコンベア２４上のダンボール箱Ｂの向きをガイドするガイド部２５とを備えている。ガイド部２５は、各上側フレーム２６ａの機体内方に平行運動機構２７を介して支持されたガイド棒２８を備えている。各上側フレーム２６ａの後端側には、機体４を持ち上げて移動させるためのハンドル２９が設けられている。両ガイド棒２８は互いに平行に支持されており、ダンボール箱Ｂの側面を左右両側から挟持するようにしてダンボール箱Ｂの向きをガイドするようになっている。両ガイド棒２８の間隔は搬送するダンボール箱Ｂに合わせて平行運動機構２７により調節可能となっている。
【００２６】
封緘部３は、搬送路２の幅方向のサイズが同方向における封緘対象のダンボール箱Ｂのサイズよりも小さく形成されているとともに、封緘部３の前半部かつ上半部が、該横フレーム１９に設けられたフランジ部１９ａを介して支持されている。このように封緘部３は、その下部両側部が機体４に支持されておらず、該両側部以外の部位が機体４に支持されるように構成されることにより、該両側部の近傍に一対の空間Ｓ，Ｓが形成されるようになっている。そして、図３に示すように、作業者が、搬送路２の入口側に載置されたダンボール箱Ｂにおける搬送方向後側の両上角近傍を両手Ｈ，Ｈでそれぞれ持ったまま、該一対の空間Ｓ，Ｓに該両手Ｈ，Ｈを押し込むと、該ダンボール箱Ｂが搬送路２の出口側に押し出されるように構成されている。
【００２７】
封緘部３は、図４〜図７に示すように、粘着テープＴを繰り出すテープ繰出部３１と、ダンボール箱Ｂの天面Ｂｔを接合線Ｌに沿って転動しつつ、その外周面でテープ繰出部３１から繰り出される粘着テープＴを粘着面側が左右外フラップＦｏの両方にまたがって密着するように押し付ける前後２個の押圧ローラ３２，３３と、テープ繰出部３１から繰り出される粘着テープＴを切断するカッタ３４と、押圧ローラ３３がダンボール箱Ｂの進行方向後面を転動するときに左右外フラップＦｏが浮き上がらないように上から押さえる押止具としての押止ローラ３５と、搬送方向後側に設けられたカバー３０とが、封緘部フレーム３９に装備されている。封緘部フレーム３９は、フレーム本体４５と、該フレーム本体４５に対する上下位置を調節可能に、該フレーム本体４５の前後にそれぞれ設けられた前側フレーム４６及び後側フレーム４７とを備えている。本例では、前側フレーム４６及び後側フレーム４７は、それぞれ上下に延びる長孔４６ａ，４７ａを有しており、該長孔４６ａ，４７ａを介して締結手段４８（本例ではボルト及びナット）でフレーム本体４５に取り付けられることにより、該フレーム本体４５に対する上下位置が調節可能になっている。フレーム本体４５にはテープ繰出部３１、押圧ローラ３２，３３等が、前側フレーム４６にはカッタ３４、カバー３０等が、後側フレーム４７には、押止ローラ３５等が、それぞれ装備されている。
【００２８】
テープ繰出部３１は、フレーム本体４５に立設されたテープ支持輪ステー５０の上端部にテープ支持軸５１を介して回転自在に軸支されたテープ支持輪５２と、該テープ支持輪５２に装着されたテープロールＲから繰り出される粘着テープＴを押圧ローラ３２の直前部まで案内するガイドローラ４０，４１と、該直前部で、粘着テープＴの先端を挟持するテープ案内板４２及びテープ押さえ板４３とを備えており、押圧ローラ３２の直前部に対し、粘着面側を前方に向けた状態で粘着テープＴを供給するようになっている。
【００２９】
前後２個の押圧ローラ３２，３３は、支軸３６ａ，３７ａを支点にして回動自在なアーム３６，３７の下端部にそれぞれ取り付けられており、両アーム３６，３７は連動して互いに逆向きに回動するように連結ロッド３８で連結されるとともに、両アーム３６，３７の間隔が開く方向に付勢手段（図示略）により付勢されている。貼付手段３ａは、これらの構成要素３２，３３，３６，３６ａ，３７，３７ａ，３８からなっている。
【００３０】
カッタ３４は、前側フレーム４６に搬送方向後側が支軸５４で軸支されることにより搬送方向前側に延びる遊端部が上下に揺動自在に設けられたカッタアーム５５と、該カッタアーム５５の遊端部から前記支軸側へ間隔をおいて設けられたカッタ刃５６と、該カッタアーム５５が下方に揺動するように付勢するカッタ付勢手段５７とを備えている。カッタ刃５６は、先端が鋸刃状に形成されており、両押圧ローラ３２，３３の間に位置している。カッタアーム５５は、アーム本体５８と、該アーム本体５８の先端に、該アーム本体５８の長手方向に突出するように取り付けられた左右一対の突片５９とを備えている。アーム本体５８は、一端側が支軸５４に軸支され、他端にカッタ刃５６が取り付けられている。突片５９は、その突出方向に延びる長孔５９ａを有しており、該長孔５９ａを介して締結手段６０（本例ではボルト及びナット）でアーム本体５８に取り付けられている。一対の突片５９の突出量を調節することにより、カッタ刃５６よりも遊端部側におけるアーム長方向への突出量を調節可能に構成されている。支軸５４は、前側フレーム４６を介してフレーム本体４５に取り付けられており、これにより、カッタ３４は、貼付手段３ａに対する支軸５４の上下位置が調節可能に構成されている。
【００３１】
押止具としての押止ローラ３５は、周面の下端がダンボール箱Ｂの天面Ｂｔとほぼ同じ高さに位置するように設けられている。押止ローラ３５は、後側フレーム４７を介して封緘部３のフレーム本体４５に取り付けられており、これにより、押止ローラ３５は、貼付手段３ａに対する上下位置が調節可能に構成されている。
【００３２】
カバー３０は、封緘部３の下部よりも下側及び左右両側に張り出した形状に形成されている。カバー３０における下側への張り出し部は、封緘部３の底部とダンボール箱Ｂの天面Ｂｔとの隙間を狭めるようになっている。カバー３０の下縁は、ダンボール箱Ｂの天面Ｂｔを傷付けないように、搬送方向前側に湾曲した形状となっている。カバー３０における左右両側への張り出し部は、封緘部３の前記下部両側部に存在する突部（各支軸の端部等）のなかで側方への突出長さが最長のものと同等以上に側方へ張り出すように形成されている。カバー３０は、前側フレーム４６を介して封緘部３のフレーム本体４５に取り付けられており、貼付手段３ａに対する上下位置が調節可能に構成されている。
【００３３】
次に、このテープ貼付機１の使用方法について説明する。
（１）封緘作業を始める前の調節方法について説明すると、まず、ダンボール箱Ｂの搬送方向前後面に貼り付けられる粘着テープＴの長さに応じて、前側フレーム４６及び後側フレーム４７の上下位置と、カッタ３４の突片５９の突出量とを適宜調節する。図４は前後面の貼付長さを５０ｍｍにする場合を、図７は前後面の貼付長さを２０ｍｍにする場合を、それぞれ示している。これらの図に示すように、５０ｍｍにする場合は、２０ｍｍにする場合と比較して、前側フレーム４６及び後側フレーム４７を３０ｍｍ上昇させた位置に調節するとともに、突片５９を約３０ｍｍ突出させた位置に調節する。図示していないが、前後面の貼付長さに応じた前側フレーム４６及び後側フレーム４７、並びに突片５９の調節位置については、それぞれフレーム本体４５、並びにアーム本体５８に目盛が設けられている。次いで、封緘対象のダンボール箱Ｂを内フラップＦｉ，Ｆｉ及び外フラップＦｏ，Ｆｏが内側に折り込まれた状態にし、搬送路２に載せ、カバー３０の下縁がダンボール箱Ｂの天面Ｂｔの直ぐ上に位置するように、搬送路２の高さを調節するとともに、ダンボール箱Ｂの両側面に軽く接する程度に左右のガイド棒２８の間隔を調整する。
【００３４】
（２）封緘作業の方法について図８を参照しながら説明すると、まず、作業者が機体後側に立ち、ダンボール箱Ｂを搬送路２の入口に載せ、ダンボール箱Ｂを内フラップＦｉ，Ｆｉ及び外フラップＦｏ，Ｆｏが内側に折り込まれた状態にし、該ダンボール箱Ｂの搬送方向後側における両上角付近を両手でそれぞれ持ち、搬送路２の出口側へ向けてダンボール箱Ｂを押し込んで行く。このとき、封緘部３にはカバー３０が設けられているので、作業者の手Ｈ，Ｈが封緘部３の両側部に接近しすぎたり、封緘部３の底部とダンボール箱Ｂの天面Ｂｔの間に入り込んだりすることがない。このダンボール箱Ｂが所定位置に到達すると、テープロールＲから所定長さ繰り出されている粘着テープＴの先端部の粘着面にダンボール箱Ｂの前面上部が接触する（同図（ａ）参照）。この粘着テープＴの先端部は、その搬送方向前側に位置している押圧ローラ３２によってダンボール箱Ｂに押し付けられる。ダンボール箱Ｂが前進するのに伴って、押圧ローラ３２が粘着テープＴを押圧しながらダンボール箱Ｂの前面を上向きに転動した後、左右外フラップＦｏの接合線Ｌに沿ってダンボール箱Ｂの天面Ｂｔを転動することにより天面Ｂｔの封緘を行う。このとき、連結ロッド３８により押圧ローラ３２と連動して押圧ローラ３３も天面Ｂｔの高さまで上昇しており、押圧ローラ３２に追随して押圧ローラ３３も天面Ｂｔの封緘を行う（同図（ｂ）参照）。また、このときカッタ３４はダンボール箱Ｂの天面Ｂｔに遊端部が乗り上がることにより、天面Ｂｔに貼り付けられた粘着テープＴの上方でカッタ刃５６が退避しているが、押圧ローラ３２が天面Ｂｔから外れた後、該天面Ｂｔの搬送方向後端部から遊端部が外れて下降することにより、カッタ刃５６が粘着テープＴを切断するようになっている（同図（ｃ）参照）。その後、押圧ローラ３３がダンボール箱Ｂの天面Ｂｔに引き続いて後面を下方に転動し、粘着テープＴをその先端まで後面に圧着する（同図（ｄ）参照）。このとき、押止ローラ３５によって左右外フラップＦｏ，Ｆｏが天面Ｂｔの高さに押さえられ、左右外フラップＦｏ，Ｆｏがダンボール箱Ｂの本体から浮き上がることなく封緘される。この状態となるまで、作業者がダンボール箱Ｂを搬送路２の出口側へ押し込むと、搬送路２の出口側に封緘されたダンボール箱Ｂが送り出される。
【００３５】
以上のように構成された本例のダンボールテープ貼付機１によれば、カッタアーム５５は、カッタ刃５６よりも遊端部側におけるアーム長方向への突出量を調節可能に構成されているので、該突出量を調節することにより、ダンボール箱Ｂの天面Ｂｔの後端部から後方における粘着テープＴの切断位置を調節することができる。このため、ダンボール箱Ｂの後面に貼り付けられる粘着テープＴの長さを適宜調節することができる。さらに、搬送路２及び封緘部３の上下方向への相対位置を調節することにより、該搬送路上を搬送されるダンボール箱Ｂの天面Ｂｔと封緘部３との相対位置を調節することにより、ダンボール箱Ｂの前面に貼り付けられる粘着テープＴの長さも、前記後面に貼り付けられる長さに合わせて調節することができるようになっている。
【００３６】
また、粘着テープＴを切断するときの該粘着テープ表面に対するカッタ刃５６の角度は９０°であることが好ましいが、カッタ３４は、貼付手段３ａに対する支軸５４の上下位置が調節可能に構成されているので、該搬送路２の上を搬送されるダンボール箱Ｂの天面Ｂｔと封緘部３との相対位置を調節した際に、該天面Ｂｔに対する支軸５４の高さ位置を調節することにより、粘着テープＴを切断するときに該粘着テープＴの表面に対するカッタ刃５６の角度が９０°に近づくように適宜調節することができる。
【００３７】
また、カバー３０は、貼付手段３ａに対する上下位置が調節可能に構成されているので、搬送路２及び封緘部３の上下方向への相対位置を調節することにより、該搬送路上を搬送されるダンボール箱Ｂの天面Ｂｔと封緘部３との相対位置を調節した際に、それに合わせて該天面Ｂｔに対するカバー３０の高さを調節できる。
【００３８】
また、カッタ３４の支軸５４とカバー３０とは、前側フレーム４６を介してフレーム本体４５に取り付けられることにより、互いに連動して貼付手段３ａに対する上下位置が調節可能に構成されているので、これらを個別に調節する手間を省くことができる。
【００３９】
また、左右上蓋フラップＦｏ，Ｆｏが浮き上がらないように上から押さえる押止ローラ３５を備え、該押止ローラ３５は、貼付手段３ａに対する上下位置が調節可能に構成されているので、搬送路２及び封緘部３の上下方向への相対位置を調節することにより、該搬送路上を搬送されるダンボール箱Ｂの天面Ｂｔと封緘部３との相対位置を調節した際に、それに合わせて該天面Ｂｔに対する押止ローラ３５の高さ位置を調節することができる。
【００４０】
次に、図９〜図１１は本発明を具体化した第二実施形態を示している。このダンボールテープ貼付機１は、以下に示す点において、主に第一実施形態と相違している。従って、同実施形態と共通する部分については、同一符号を付することにより重複説明を省く。
【００４１】
本例のダンボールテープ貼付機１は、テープロールＲの回転に抵抗を与えるためのテープ抵抗部８０を備えている。このテープ抵抗部８０は、上端部が前後に揺動自在となるように下端部が封緘部３のフレーム本体４５にテープ抵抗アーム軸８１で軸支されたテープ抵抗アーム８２と、該テープ抵抗アーム８２の上端部にテープ抵抗ローラ軸８３で回転自在に軸支されたテープ抵抗ローラ８４と、テープ抵抗ローラ８４の周面がテープロールＲの周面に接触するように、テープ抵抗アーム８２をテープロール側に付勢する付勢手段としてのテープ抵抗バネ８５と、テープ抵抗ローラ８４の周面がテープロールＲの周面に接触しないように、テープ抵抗アーム８２が反テープロール側に離れた退避位置に係止する係止部８６とを備えている。
【００４２】
テープ抵抗ローラ軸８３の一端部とテープ抵抗ローラ８４との間には、抵抗手段としての圧縮バネ８７が介挿されており、これによりテープ抵抗ローラ８４に回転抵抗が付与されるようになっている。テープ抵抗ローラ軸８３の一端部とテープ抵抗ローラ８４との間隔は調節可能になっており、これにより、回転抵抗の強さが調節可能になっている。
【００４３】
テープ抵抗アーム８２は、テープ抵抗アーム軸８１に対して、該軸の軸長方向へも遊動可能に軸支されるとともに、テープ抵抗アーム軸８１の一端部とテープ抵抗アーム８２との間には、該軸長方向への遊動を阻止する阻止手段としての圧縮バネ８８が介挿されている。封緘部３のフレーム本体４５における天板には、機体前後方向に延びる長孔８９が形成されており、テープ抵抗アーム８２は、該長孔８９により動作がガイドされるようになっている。この長孔８９の反テープロールＲ側は、略ステップ状に幅広に形成されており、この部分にテープ抵抗アーム８２を退避位置に係止するための係止部８６が設けられている。そして、テープ抵抗アーム８２をテープ抵抗バネ８５に反して反テープロールＲ側に回動させるとともに、阻止手段としての圧縮バネ８８に反して係止部８６に係合させると、退避位置に固定することができるようになっている。
【００４４】
本例のダンボールテープ貼付機１は、テープ支持軸５１の一端部とテープ支持輪５２との間に、抵抗手段としての圧縮バネ５３が介挿されており、これによりテープ支持輪５２に回転抵抗が付与され、テープロールＲから余分な粘着テープが引き出されないようにしている。テープ支持軸５１の一端部とテープ支持輪５２との間隔は調節可能になっており、これにより、回転抵抗の強さが調節可能になっている。この構成は、第一実施形態のダンボールテープ貼付機１の説明において記載していないが、本例と同様に備えている。
【００４５】
ところで、テープロールＲからの粘着テープＴの引き出し時、テープロールＲの径が大きいほどテープロールＲの回転時の慣性モーメントが大きくなるため、封緘作業に応じて断続的に粘着テープＴが引き出されたときに、テープロールＲの径が大きいほどテープロールＲが必要以上に回転してしまうという問題が発生する。ダンボール箱Ｂの移動を機械で駆動する構成の場合、ダンボール箱Ｂの移動速度がほぼ一定で、しかも急に勢いよく移動されることがないため、第一実施形態のように、テープロールＲからの余分な粘着テープＴの引き出しを防止する手段が、テープ支持軸５１の一端部とテープ支持輪５２との間に介挿された抵抗手段としての圧縮バネ５３だけであったとしても、テープロールＲの径が最大のときに粘着テープＴが必要以上に引き出されないように該抵抗手段（圧縮バネ５３）の強さを調節しておくことで対応が可能である。しかしながら、本発明のようにダンボール箱Ｂを手動で移動させる構成の場合、ダンボール箱Ｂの移動のさせ方は、作業者ごとに個人差があるし、同じ作業者でもその体調等によって異なるし、移動速度も一定ではないため、この問題が発生し易い。この問題に対応するために、テープロールＲの径が大きい場合に、前記抵抗手段（圧縮バネ５３）の強さを強めに調節しておくことも可能であるが、そうすると、テープロールＲの径が小さくなったときに、回転抵抗が大きすぎてしまうことになる。このため、テープロールＲが大径の時は前記抵抗手段（圧縮バネ５３）による抵抗が強くなるように調節し、小径の時は弱くなるように調節する必要があり、手間がかかるという課題がある。
【００４６】
本例のダンボールテープ貼付機１では、粘着テープＴは、それが巻き付けられてなるとともに中心が回転自在に軸支されたテープロールＲから引き出され、封緘部３に供給されるように構成されている。そして、テープロールＲの回転に抵抗を付与するように構成されたテープ抵抗部８０を備えている。このテープ抵抗部８０は、テープロールＲの略径方向に移動可能に、且つ、テープロールＲの周面に対して表面（本例ではテープ抵抗ローラ８４の周面）が接触可能に支持された抵抗体（本例では、回転抵抗が付与された回転体としてのテープ抵抗ローラ８４。非回転体が接触し摩擦力で抵抗を付与する構成でもよい。）と、該抵抗体の表面がテープロールＲの周面に接触するように該抵抗体を付勢する付勢手段（本例ではテープ抵抗バネ８５）とを備えている。そして、この付勢手段（テープ抵抗バネ８５）は、テープロールＲが大径のときに該テープロールＲの周面に対する前記抵抗体の押し当て力が強く、テープロールＲの径が小さくなるにつれて該押し当て力が弱くなるように構成されている。このため、テープロールＲの回転に対し、該テープロールＲの径に応じた抵抗を付与することができ、第一実施形態の構成における圧縮バネ５３の調節の手間を省くことができる。
【００４７】
また、本例のダンボールテープ貼付機１は、係止部８６を備えているので、テープロールＲを取り付けるときは、テープ抵抗ローラ８４がテープロールＲより離れた退避位置で固定できる。
【００４８】
本例のダンボールテープ貼付機１によれば、第一実施形態と同様の効果に加え、前記した本例独自の効果を得ることができる。
【００４９】
なお、本発明は前記実施形態に限定されるものではなく、例えば以下のように、発明の趣旨から逸脱しない範囲で適宜変更して具体化することもできる。
（１）本発明を、例えば搬送装置のような動力源（モータ、エンジン等）を含む構成を備えたダンボールテープ貼付機に適用すること。
（２）押止具としての押止ローラ３５と、支軸５４又は／及びカバー３０とは、互いに連動して、貼付手段３ａに対する上下位置が調節可能に構成された態様にすること。この構成によれば、押止具としての押止ローラ３５と、支軸５４又は／及びカバー３０とが互いに連動して上下するので、これらを個別に調節する手間を省くことができる。
（３）押止具を別の形態に構成すること。具体的には、左右上蓋フラップＦｏ，Ｆｏが浮き上がらないように上から押さえる橇状に形成することを例示する。
（４）カバー３０の形状を適宜変更すること。
【符号の説明】
【００５０】
１    ダンボールテープ貼付機
２    搬送路
３    封緘部
３ａ  貼付手段
４    機体
３０    カバー
３１    テープ繰出部
３２    押圧ローラ
３３    押圧ローラ
３４    カッタ
３５    押止ローラ
３６    アーム
３６ａ  支軸
３７    アーム
３７ａ  支軸
３８    連結ロッド
３９    封緘部フレーム
４５    フレーム本体
４６    前側フレーム
４６ａ  長孔
４７    後側フレーム
４７ａ  長孔
４８    締結手段
５０    テープ支持輪ステー
５１    テープ支持軸
５２    テープ支持輪
５３    圧縮バネ
５４    支軸
５５    カッタアーム
５６    カッタ刃
５７    カッタ付勢手段
５８    アーム本体
５９    突片
５９ａ  長孔
６０    締結手段
８０    テープ抵抗部
８１    テープ抵抗アーム軸
８２    テープ抵抗アーム
８３    テープ抵抗ローラ軸
８４    テープ抵抗ローラ
８５    テープ抵抗バネ
８６    係止部
８７    圧縮バネ
８８    圧縮バネ
８９    長孔
Ｂ      ダンボール箱
Ｂｔ    ダンボール箱の天面
Ｃ      搬送方向前側、機体前側
Ｆｉ    内フラップ
Ｆｏ    外フラップ
Ｈ      作業者の手
Ｌ      接合線
Ｒ      テープロール
Ｓ      空間
Ｔ      粘着テープ
【図１】
2010163174.tif 000003
【図２】
2010163174.tif 000004
【図３】
2010163174.tif 000005
【図４】
2010163174.tif 000006
【図５】
2010163174.tif 000007
【図６】
2010163174.tif 000008
【図７】
2010163174.tif 000009
【図８】
2010163174.tif 000010
【図９】
2010163174.tif 000011
【図１０】
2010163174.tif 000012
【図１１】
2010163174.tif 000013
【図１２】
2010163174.tif 000014
【図１３】
2010163174.tif 000015